(57)【要約】【課題】スピーカー装置自体による筐体表面での磁力を低減し、磁気カードリーダーやＩＣカード破壊を防止し、かつ内部の磁気ユニットを近傍に配置することを可能とし、また、磁気スイッチを近傍に配置することを可能とした上、検出用の磁石の磁力を低減することを可能としたスピーカー装置の設置構造を提供することを目的とする。【解決手段】スピーカー装置を筐体表面に対して傾斜状態で取り付け可能な形状を有した本体筐体と、スピーカー装置を有し、スピーカー装置自体を筐体表面に対して傾斜した状態で取り付けを行う。本構成によって、筐体表面から放出される磁力を低減することができ、磁気カードリーダーやＩＣカード破壊を防止することができ、内部の磁気モジュールを近傍に配置することが可能となり、レイアウトの自由度を高めることができる。【選択図】図１
2009069926.tif 000002
【特許請求の範囲】
【請求項１】
スピーカー装置を筐体面に対して前記スピーカー装置の主要磁力線の軸が傾斜状態で取り付け可能な形状を有した本体筐体と、
主要磁力線の軸が前記筐体面に対して傾斜して取り付けられたスピーカー装置を備えた電子機器。
【請求項２】
前記スピーカー装置の磁気の影響を受ける範囲より外に、磁気を利用したデバイスを配置する請求項１の電子機器。
【請求項３】
前記スピーカー装置の磁気の影響を受ける範囲より外に、液晶表示装置開閉検知用の磁気スイッチ（ＬＩＤ−ＳＷ）を配置することを特徴とする請求項１記載の電子機器。
【発明の詳細な説明】
【技術分野】
【０００１】
本発明は、ノート型コンピューター等の電子機器に用いられるスピーカー装置の設置に関するものである。
【背景技術】
【０００２】
従来のスピーカー装置は、図４のように筐体１２表面にスピーカー装置１１を装着し、外部に向けて大きな磁力を放出されていた。
【０００３】
また、図５のように筐体１１の表面からある程度の空間距離Ｂを確保することにより、筐体１１の表面からの磁力を軽減している構造をとっているものも存在する。
【０００４】
一方、ハードディスクドライブ（ＨＤＤ）ユニットなどの磁気ユニットを有する電子機器では、磁気による悪影響（転送レートの低下や情報の消失）を防ぐため、スピーカー装置の磁気ユニットのレイアウトでは、ある程度距離をとって配置されていた。
【０００５】
またノート型コンピューター等では、省電力のため液晶表示装置の開閉認識のため磁気スイッチを用いるものがある。本体側・液晶表示装置側のそれぞれにスイッチと磁石を配置して開閉を認識しており、このスイッチとスピーカー装置に関しても、ある程度距離をとって配置されていた。
【特許文献１】特開２００３−１８６５８１号公報
【特許文献２】特開２００４−７８７２７号公報
【特許文献３】特開２００２−２６８７６８号公報
【特許文献４】特開２００５−２５２５１３号公報
【特許文献５】特開２００３−３０８１３５号公報
【発明の開示】
【発明が解決しようとする課題】
【０００６】
しかしながら、上記従来の構成では、筐体表面から大きな磁力がでているので、ノート型コンピューター等への搭載が急増している磁気カードリーダーやフェリカモジュール（登録商標）などの電磁波を用いたＩＣカードを近づけた場合には、カード破壊を引き起こすという課題を有していた。一方表面磁力を小さくするため、筐体表面から空間距離をとった取り付け構造では筐体全体ないしは、スピーカー装置取り付け部分が分厚くなってしまうという課題を有していた。
【０００７】
また、ノート型コンピューター等にはＨＤＤユニットやＰＣカード型磁気記憶装置などを備えている。上記従来の構成では、上記磁気記憶装置などへの磁力による悪影響を防ぐため空間距離をとっており、機器の配置に制限があり、小型化への障害となっていた。
【０００８】
最後に、ノートパソコン等の液晶表示装置の開閉検知用の磁気スイッチは液晶表示装置側と本体側のそれぞれにスイッチと磁石が装備されており、液晶表示装置の開閉検知するためにはある程度大きな磁力が必要であり、大きな磁石を搭載する必要があった。磁気カードリーダーやＩＣカードを検知要の磁石に近づけた場合には、カード破壊を引き起こすという課題を有していた。
【０００９】
本発明は、上記従来の課題を解決するもので、スピーカー装置自体による筐体表面での磁力を低減し、磁気カードリーダーやＩＣカード破壊を防止し、かつ内部の磁気ユニットを近傍に配置することと可能とし、また、磁気スイッチを近傍に配置することを可能とした上、検出用の磁石の磁力を低減することを可能としたスピーカー装置の設置構造を提供することを目的とする。
【課題を解決するための手段】
【００１０】
上記従来の課題を解決するために、本発明のスピーカー装置は、スピーカー装置を筐体面に対して、スピーカー装置の主要磁力線の軸が傾斜状態で取り付け可能な形状を有した本体筐体と、主要磁力線の軸が前記筐体面に対して傾斜した状態で取り付けを行う。
【００１１】
本構成によって、筐体表面から放出される磁力を低減することができ、磁気カードリーダーやＩＣカード破壊を防止することができる。
【００１２】
また、本発明のスピーカー装置は、スピーカー装置自体を筐体表面に対して傾斜した状態で取り付けすることにより、内部の磁気モジュールを近傍に配置することができ、ノート型パソコン等の携帯電子機器の小型化を可能とした。
【００１３】
また、本発明のスピーカー装置は、スピーカー装置自体を筐体表面に対して傾斜した状態で取り付けすることにより、電子機器の液晶表示装置開閉検知を行う磁気スイッチを近傍に配置することを可能とし、また、磁気スイッチ用の磁石の磁気を小さく抑えることを可能とした。これにより、上記同様に磁気カードリーダーやＩＣカード破壊を防止することができる。
【発明の効果】
【００１４】
本発明のスピーカー装置によれば、電子機器のスピーカー装置自体の表面磁力を抑制することが可能となり、磁気カードリーダーやＩＣカード破壊を防止することができる。また、電子機器内部の磁気モジュールの配置の自由度を向上させ、電子機器を小型化することができる。
【００１５】
また、電子機器の液晶表示装置の開閉検知用の磁気スイッチを近傍に配置することが可能となり、磁石の磁力を小さくし、上記同様に磁気カードリーダーやＩＣカード破壊を防止することができる。
【発明を実施するための最良の形態】
【００１６】
以下本発明を実施するための最良の形態について、図面を参照しながら説明する。
【００１７】
（実施の形態１）
図１（ａ）は、本発明の実施の形態１におけるスピーカー装置の断面図である。
【００１８】
図１において、スピーカー装置１１は筐体１２表面に対して傾斜した状態で装備されている。筐体１２には、スピーカー装置を斜めに取り付けるためのリブ形状１２１や、スピーカー装置の音を外部へ伝播するためのスピーカー装置孔１２２が存在する。このとき、図１（ｂ）の１３示した方向で、スピーカー装置の主要磁力線の軸が存在している。この磁力線は筐体表面では、筐体に垂直な成分である１３１の磁力線と、筐体に水平方向の１３２の磁力線に分解することができる。
【００１９】
かかる構成によれば、筐体表面では磁力線１３という大きさの磁力が存在するものが、磁力線１３１という大きさに抑制することが可能となる。また、筐体の取り付けリブ形状１２１を筒状にすることで、発生させた音圧を下げることなく出力することが可能となる。
【００２０】
（実施の形態２）
図２は、本発明の実施の形態２のスピーカー装置の設置構造の断面図である。
【００２１】
図２において、図１（ａ）および図１（ｂ）と同じ構成要素については同じ符号を用い、説明を省略する。
【００２２】
図２において、ＨＤＤユニット２１はスピーカー装置１１の直下に配置されている。このとき、ＨＤＤユニット２１も筐体表面同様にスピーカー装置１１の磁力１４の影響を受けることとなる。このときも図１（ｂ）同様にＨＤＤユニット２１に垂直成分の１４１磁力線と水平成分の１４２に分解することが可能となる。ＨＤＤユニット２１に対して影響を及ぼす磁力線１４１はスピーカー装置の磁力１４に比べ小さいことから、ＨＤＤユニット２１に転送レート低下や、磁気データの消去・破損といった不具合を防ぐことができ、ＨＤＤユニット２１を近傍に配置することが可能となる。
【００２３】
なお、本実施の形態において、スピーカー装置１１の磁気による影響を受けるユニットとして、ＨＤＤユニット２１を取り上げたが、ＰＣカード型記憶装置やＩＣカードなどの磁気による悪影響を受けるモジュールを対象としても良い。
【００２４】
（実施の形態３）
図３（ａ）は、本発明の実施の形態３のスピーカー装置の設置構造の断面図である。図３（ａ）において、図１および図２と同じ構成要素については同じ符号を用い、説明を省略する。
【００２５】
図３（ａ）において、スピーカー装置１１近傍には電子機器の液晶表示装置の開閉検出用の磁気スイッチ３１が回路基板３２上に装着されている。スピーカー装置１１を筐体１２表面に対して傾斜した状態で装備していることにより、スピーカー装置の主要な磁力線からの距離Ａが遠くなるため、誤認識を防ぐことができ、レイアウトの自由度を高めることができる。
【００２６】
また、このスイッチ用に液晶表示装置側には検出用の磁石３３が装備されており、当然のことながら磁石３３の磁力が放出されている。液晶表示装置の検出用に大きな磁力が必要な場合には、大きな磁石が必要になるほか、磁気カード破壊などを引き起こす恐れがある。しかしながら、図３（ｂ）の配置を行うことにより、液晶表示装置側の磁力のベクトル及びスピーカー装置１１の磁力を用いることにより、磁力をベクトルの合算により高めることが可能となる。このとき磁石の向きを統一することが必要となる。
【産業上の利用可能性】
【００２７】
本発明にかかるスピーカー装置の設置構造は、筐体外部に放出される磁力を軽減することが可能になるので、磁気カードリーダーやＩＣカード破壊を防止するために有用である。また、ＨＤＤユニットや磁気スイッチに対しての磁力を小さくすることができるため、スピーカー装置近傍に配置することが可能となる。
【図面の簡単な説明】
【００２８】
【図１】（ａ）は本発明の実施の形態１におけるスピーカー装置の断面図、（ｂ）は本発明の実施の形態１におけるスピーカー装置の磁力ベクトルの断面図
【図２】本発明の実施の形態２におけるスピーカー装置とＨＤＤユニットの断面図
【図３】（ａ）は本発明の実施の形態３におけるスピーカー装置と磁気スイッチの断面図、（ｂ）は本発明の実施の形態３におけるスピーカー装置と磁気スイッチ用磁石の断面図
【図４】従来のスピーカー装置の断面図
【図５】従来の筐体表面から空間を設けたスピーカー装置断面図
【符号の説明】
【００２９】
１１  スピーカー装置
１２  筐体
１２１  スピーカー装着用形状（リブ）
１２２  スピーカー装置孔
１３  スピーカー装置の主要磁力線（筐体表面）
１３１  スピーカー装置の筐体表面の垂直磁力線
１３２  スピーカー装置の筐体表面の水平磁力線
１４  スピーカー装置の主要磁力線（ＨＤＤユニット表面）
１４１  スピーカー装置のＨＤＤユニット表面の垂直磁力線
１４２  スピーカー装置のＨＤＤユニット表面の水平磁力線
２１  ＨＤＤユニット
３１  磁気スイッチ
３２  回路基板
【図１】
2009069926.tif 000003
【図２】
2009069926.tif 000004
【図３】
2009069926.tif 000005
【図４】
2009069926.tif 000006
【図５】
2009069926.tif 000007